(57)【要約】      （修正有）【課題】戸建住宅において、コストを抑えつつ、窓からの侵入犯罪をより確実に防止する戸建住宅の窓構造を提供する。【解決手段】戸建住宅の窓開口１０にサッシ枠１１を介してガラス板材１５を設ける窓構造を技術的前提として、ガラス板材１５の外周縁部の屋外面１６は、サッシ枠１１の凹状嵌合部１２の屋外面に当接させて配するとともに、ガラス板材１５の外周縁部の屋内面１７は、サッシ枠１１の凹状嵌合部１２の屋内面に弾性のある定形／不定形のシーリング材１３を介して装着し、ガラス板材１５の外周縁部の屋外面１６が、シーリング材１３によってサッシ枠１１の凹状嵌合部１２の屋外面１６に押圧された状態で装着する（請求項１）。屋外側にシーリング材１３が存在せず、ガラス板材１５の外周縁部の屋外面１６が、サッシ枠１１の凹状嵌合部１２の屋外側に押圧された状態で装着されているため、屋外側からのピッキングによる窓ガラスの取り外しは不可能となる。【選択図】図２
0003219821.tif 000002
【実用新案登録請求の範囲】
【請求項１】
戸建住宅の窓開口にサッシ枠を介してガラス板材を設ける窓構造において、
前記ガラス板材の外周縁部の屋外面は、
前記サッシ枠の凹状嵌合部の屋外面に当接させて配するとともに、
前記ガラス板材の外周縁部の屋内面は、
前記サッシ枠の凹状嵌合部の屋内面に弾性のある定形／不定形のシーリング材を介して装着し、
前記ガラス板材の外周縁部の屋外面が、
前記シーリング材によって前記サッシ枠の凹状嵌合部の屋外面に押圧された状態で装着されることを特徴とする戸建住宅の窓構造。
【請求項２】
ガラス板材の外周縁部の屋外面であって、
サッシ枠との露出境界部に、
雨滴侵入を防止する定形または不定形の防水シーリング材を配することを特徴とする請求項１記載の戸建住宅の窓構造。
【考案の詳細な説明】
【技術分野】
【０００１】
本考案は、戸建住宅の窓に係り、とくに防犯性能を向上させる窓の構造に関する。
【背景技術】
【０００２】
近年の戸建住宅の窓は、アルミニウム等の難錆／軽量金属を用いたサッシ枠にガラス板材を装着した建具を、窓枠（外壁開口）に配して完成させる。
【０００３】
図５は、戸建住宅の外壁開口に装着する窓建具１を示すものである。通常、窓建具１は、サッシ枠２と、このサッシ枠２に装着したガラス板材５とからなり、外壁開口に固定した支持枠材を介して躯体に固定する。６は、開閉用ハンドルである。
【０００４】
図６、図７は、従来の窓建具１を装着した断面構造を示すものである。符号７は、外壁開口に固定した支持枠材、８は、窓建具１を回動自在に支持するピンである。
【０００５】
図７に拡大して示すように、従来の窓建具１は、ガラス板材５の外周縁部を支持するため、屋外側と屋内側に、それぞれシーリング材９を配し、ガラス板材５の外周縁部の両側を挟み込んだ。
【０００６】
ところで、戸建住宅の窓には、高い防犯機能が求められる。
【０００７】
従来、防犯機能を保証する手段は二通りあった。
【０００８】
第一は、ガラス板材５の強化である。例えば、特許文献１に係る発明は、ガラス板材５を複層構造とし、内部にフィルム材／網材を挟み込んで、ガラス板材５の切断を困難化させる。
【０００９】
第二は、窓に接近する人検知センサを利用する。センサ起動時に、窓に人が接近したときは、シャッタカーテンを下降動作させる等して、住宅への侵入を防止する。
【先行技術文献】
【特許文献】
【００１０】
【特許文献１】実用新案登録第３１３３５２２号
【特許文献２】特願２００８−２８４７０３号
【考案の開示】
【考案が解決しようとする課題】
【００１１】
問題は、戸建住宅の窓の防犯機能の不完全性である。
【００１２】
特許文献１の発明は、ガラス板材５を強化してあるため、ガラスカッター等を用いた犯罪の防止確率は高まる。
【００１３】
しかしながら、屋外側のシーリング材（９）を破損させて家屋内に侵入する所謂ピッキング犯罪は防止できない。従来の窓は、屋外側のシーリング材（９）をピックのような鋭利な器具で穿つと、簡単に取り除くことが出来、ガラス板材（５）も簡単に外すことが出来るからである。ガラスカッター等による切削犯罪のためガラス板材（５）を強化しても、住宅内部への侵入犯罪は確実に防止することは困難である。
【００１４】
特許文献２の発明は、センサを利用して、窓に接近する人を検知したときにシャッタカーテンを駆動させるものである。ところが、日常生活では、家族等が窓に接近することは頻繁にある。
【００１５】
必要に応じ、シャッタカーテンを駆動させるスイッチをオフすれば問題はないが、日常的にスイッチのオンオフをその都度切替るのは面倒である。
【００１６】
また、センサ利用によるシャッター駆動のようなシステムは、一般の戸建住宅には不向きである。導入コストが高すぎるからである。
【００１７】
そこで、本考案の目的は、戸建住宅において、コストを抑えつつ、窓からの侵入犯罪をより確実に防止する点にある。
【課題を解決するための手段】
【００１８】
前記目的を達成するため、本考案に係る戸建住宅の窓構造は、戸建住宅の窓開口にサッシ枠を介してガラス板材を設ける窓構造を技術的前提として、前記ガラス板材の外周縁部の屋外面は、前記サッシ枠の凹状嵌合部の屋外面に当接させて配するとともに、前記ガラス板材の外周縁部の屋内面は、前記サッシ枠の凹状嵌合部の屋内面に弾性のある定形／不定形のシーリング材を介して装着し、前記ガラス板材の外周縁部の屋外面が、前記シーリング材によって前記サッシ枠の凹状嵌合部の屋外面に押圧された状態で装着する（請求項１）。
【００１９】
かかる窓構造によれば、屋外側にシーリング材が存在せず、ガラス板材の外周縁部の屋外面が、サッシ枠の凹状嵌合部の屋外側に押圧された状態で装着されているため、屋外側からのピッキングによる窓ガラスの取り外しは不可能となる。
【００２０】
簡易な構造でありながら、ピッキングによる外部からの住居侵入を確実に防止できる点で優れる。従来の窓構造に較べて、窓建具の製造コストが嵩むこともない。
【００２１】
ガラス板材の外周縁部の屋外面であって、サッシ枠との露出境界部に、雨滴侵入を防止する定形または不定形の防水シーリング材を配する場合がある（請求項２）。
【００２２】
屋外側にはシーリング材がない。このため、経年劣化等によって、屋外側のサッシ枠とガラス板材との間に隙間が生じ、雨水が浸入する可能性が残る。そこで、ガラス板材の露出境界部に、シーリング材を設ければ、雨水の浸入を確実に防止することが出来る。
【００２３】
但し、屋内側に設けるシーリング材は、太陽の直射日光を受けないので紫外線に起因する劣化は生じにくく、従って、屋外側のガラス板材の押圧状態は長期にわたって雨水の浸入を生じさせない。
【考案の効果】
【００２４】
本考案に係る戸建住宅の窓構造によれば、コストを抑えつつ、窓からの侵入犯罪をより確実に防止することが可能となる。
【図面の簡単な説明】
【００２５】
【図１】第一の実施形態に係る窓構造を例示する断面図である。
【図２】図１に示す窓構造の下辺部分を拡大して示す図である。
【図３】第二の実施形態に係る窓構造を例示する断面図である。
【図４】図３に示す窓構造の下辺部分を拡大して示す図である。
【図５】従来の窓サッシを例示する斜視図である。
【図６】図５に示す窓サッシの装着状態を例示する断面図である。
【図７】図５のＸ−Ｘ線断面まわりの装着状態を例示する図である。
【考案を実施するための形態】
【００２６】
図１、図２は、本考案に係る戸建住宅の窓構造の第一の実施形態を示すものである。
【００２７】
この窓構造は、戸建住宅の窓開口１０にサッシ枠１１を介してガラス板材１５を設ける窓構造を技術前提とする。６は、窓建具（サッシ枠１１にガラス板材１５を装着させたもの）の開閉用ハンドル、符号Ｌは、戸建住宅の外壁である。
【００２８】
ガラス板材１５の外周縁部の屋外面１６は、サッシ枠１１の凹状嵌合部１２の屋外面に当接させて配する。
【００２９】
また、ガラス板材１５の外周縁部の屋内面１７は、サッシ枠１１の凹状嵌合部１２の屋内面に弾性のある定形／不定形のシーリング材１３を介して装着し、ガラス板材１５の外周縁部の屋外面１６が、シーリング材１３によってサッシ枠１１の凹状嵌合部１２の屋外面に押圧された状態で装着されるようにする。
【００３０】
サッシ枠１１の構造等は、従来と同様で良い。
【００３１】
符号７は、窓開口１０に固定した支持枠材である。窓建具（サッシ枠１１にガラス板材１５を装着させたもの）は、この支持枠材７を介して窓開口１０に取り付ける。８は、窓建具（サッシ枠１１にガラス板材１５を装着させたもの）を回動自在に支持するピンであり、前記開閉用ハンドル６を介して窓建具の開閉を可能とする。
【００３２】
ガラス板材１５の外周縁部を固定するためのシーリング材１３は、屋内側にのみ設け、屋外側には設けない。
【００３３】
シーリング材１３は、例えば、樹脂系素材を用いた定形または不定形の素材を用いる。ガラス板材１５の外周縁部の屋外面１６が、当該シーリング材１３によってサッシ枠１１の凹状嵌合部１２の屋外面に押圧された状態で装着されるようにするものであれば良い。従って、シーリング材１３の性状は、定形／不定形のいずれであっても良い。
【００３４】
定形のシーリング材（１３）としては、弾性樹脂（ゴム製等）を用いて成形したパッキング材、不定形のシーリング材（１３）としては、各種の樹脂系コーキング材を用いることが出来る。隙間を埋めて、ガラス板材１５の外周縁部の屋外面１６を、屋内側から押圧できる部材／素材であれば良い。
【００３５】
シーリング材１３は、ガラス板材１５の屋内側の外周縁部に沿って上下左右の四辺に設ける。また、ガラス板材１５の屋外側の外周縁部は、シーリング材１３（定形／不定形のコーキング材、パッキン等を含む）による装着支持を行わない。
【００３６】
かかる構成によれば、戸建住宅の窓は、屋外側にピッキング可能なシーリング材１３が存在しないため、先端鋭利な器具を用いたピッキングによるガラス板材１５の取り外しは不可能となる。
【００３７】
住宅への無断侵入は、犯行時の侵入スピードが遅れるほど困難になる。このため、ピッキングが出来ない住宅の窓構造は、最初から無断侵入を諦める等、侵入犯罪を抑止する効果を高める。
【００３８】
図３、図４は、本考案に係る戸建住宅の窓構造の第二の実施形態を示すものである。
【００３９】
この実施形態は、ガラス板材１５の外周縁部の屋外面１６であって、サッシ枠１１との露出境界部に、雨滴侵入を防止する防水シーリング材３０を配するものである。
【００４０】
ガラス板材１５の外周縁部の屋外面１６は、サッシ枠１１の凹状嵌合部１２の屋外面に当接させて配し、ガラス板材１５の外周縁部の屋内面１７に弾性のある定形／不定形のシーリング材１３を配する点は、前記第一の実施形態と同様である。尚、第一の実施形態と同一部分は同一符号を附して重複する説明を省略する。
【００４１】
防水シーリング材３０は、定形または不定形のシーリング材（コーキング材、パッキン）を用いる。
【００４２】
防水シーリング材３０は、サッシ枠１１の凹状嵌合部１２の屋外側に押圧させて装着するガラス板材１５の露出境界部から、雨水がサッシ枠１１の凹状嵌合部１２に入り込むことを防止するものである。
【００４３】
すでに述べたように、ガラス板材１５の外周縁部の屋外面１６は、サッシ枠１１の凹状嵌合部１２の屋外面に押圧させるので、密着状態のガラス板材１５の屋外面１６から雨水が入り込むことはない。しかしながら、サッシ枠１１の経年劣化、寒暖差による膨張収縮、地震等による変形、屋内側シーリング材１３の劣化、変形等によって、ガラス板材１５の屋外側の露出境界部に隙間が生じる可能性は若干ながら残る。
【００４４】
この第二実施形態に係る構成によれば、隙間が生じる可能性が残るガラス板材１５の屋外側の露出境界部に防水シーリング材３０を配するので、当該部分にわずかな隙間が生じても、サッシ枠１１の凹状嵌合部１２への雨水の浸入を防止することが出来る。
【００４５】
防水シーリング材３０は、例えば、断面略定形Ｌ字状の定形パッキン、不定形コーキング材など、隙間を埋める各種素材を用いることが出来る。
【００４６】
防水シーリング材３０は、ガラス板材１５の屋外側の露出境界部からの雨水の浸入を防止するものなので、この防水シーリング材３０をピッキングによって取り除いても、ガラス板材１５の外周屋外面（１６）は、依然としてサッシ枠１１の凹状嵌合部１２の屋外面に押圧された状態を保つ。
【００４７】
従って、ピッキングによるガラス板材１５の取り外しは不可能であり、ガラス板材１５の取り外しによる侵入犯罪は確実に防止できる。
【００４８】
本考案に係る窓構造は、前記実施形態のものに限定されない。
【００４９】
例えば、窓建具の構成／形状は、適宜変更できる。前記実施形態では、所謂開き戸を例示したが、引き戸であっても本考案は適用できる。
【００５０】
また、窓は、開閉可能なものに限らない。例えば、玄関脇に嵌め込みのガラス板材を設ける採光用の窓にも、本考案は適用可能である。
【符号の説明】
【００５１】
６  開閉用ハンドル
７  支持枠材
８  （窓建具を支持する）ピン
１０  窓開口
１１  サッシ枠
１２  （サッシ枠の）凹状嵌合部
１３  シーリング材
１５  ガラス板材
１６  （ガラス板材の外周縁部の）屋外面
１７  （ガラス板材の外周縁部の）屋内面
３０  防水シーリング材
Ｌ  外壁
【図１】
0003219821.tif 000003
【図２】
0003219821.tif 000004
【図３】
0003219821.tif 000005
【図４】
0003219821.tif 000006
【図５】
0003219821.tif 000007
【図６】
0003219821.tif 000008
【図７】
0003219821.tif 000009